(57)【要約】      （修正有）【課題】加圧油の供給によってピストンを移動させる携帯用油圧式加工機に取り付けられるアンカー位置決め機構を提供する。【解決手段】内部に芯棒１４の貫通するアンカー１０と、携帯用油圧式加工機およびアンカーの間に設けられるハウジング２０とを具備している。アンカー１０は、外側面の一部におねじ１６が形成されおねじと螺合するナット４０およびナットに対応するワッシャー４２が取り付けられている。ハウジング２０は、その内部がアンカー１０を収納可能とする収納部２０ａを備え、その側面内部が段付き形状とされ、受け面２２、２６が形成されている。アンカーおよびワッシャーの端面１０ａ、４２ａを受け面２２、２６にそれぞれ当接させることで、携帯用油圧式加工機に対するアンカー１０の相対位置が規制、維持される。【選択図】図２
0003225505.tif 000002
【実用新案登録請求の範囲】
【請求項１】
内部が中空に形成されて前記内部に芯棒の貫通するアンカーと、携帯用油圧式加工機および前記アンカーの間に設けられるハウジングと、を具備するアンカー位置決め機構であって、
前記アンカーは、外側面の一部におねじが形成されるとともに、前記おねじと螺合するナットおよび前記ナットに対応するワッシャーの取り付けられたアンカーとされ、
前記ハウジングはその内部に前記アンカーを収納可能とする収納部を備えるとともに、一端に前記携帯用油圧式加工機に着脱可能、または一体的に取り付けられ、他端から側面中央部までの側壁が切り欠かれて開口が形成され、
前記ハウジングの前記収納部は、その側面内部が段付形状とされ、前記段が前記アンカーおよび前記ワッシャーの端面にそれぞれ当接する受け面を有し、
前記アンカーおよび前記ワッシャーは、各受け面に当接して、前記開口から前記ハウジングの前記収納部に収納されるアンカー位置決め機構。
【請求項２】
前記アンカーの上面および前記ワッシャーの下面がそれぞれ前記受け面に当接する請求項１記載のアンカー位置決め機構。
【請求項３】
前記ナットおよび前記ワッシャーが一体化している請求項１または２記載のアンカー位置決め機構。
【請求項４】
前記ハウジングの前記収納部の内部に、前記ナットの外側面が当接する当接面がさらに形成されている請求項１〜３いずれか記載のアンカー位置決め機構。
【考案の詳細な説明】
【技術分野】
【０００１】
本考案は、加圧油の供給によってピストンを移動させる携帯用油圧式加工機に取り付けられるアンカー位置決め機構に関する。
【背景技術】
【０００２】
アンカーがコンクリート面に一部を突出させて埋設され、アンカーを利用して構造物が固定されている。この種のアンカーは主として金属製とされ、突出される側の端（突出端）の外側面におねじが切られているためアンカーボルトとも称される。
【０００３】
アンカーは中央孔付の中空体からなり、埋設される側の端（埋設端）はスリット付の拡径部とされ、中央孔に芯棒を挿入した形状に形成される。固定物（鉄板など）および固定物の下に位置するコンクリートに穿設された孔にアンカーは埋設端から挿入され、芯棒を打ち込んで拡径部を拡げることによって孔の壁面との間に摩擦力を確保して引き抜き不能に固定される。
【０００４】
アンカーの打ち込みは、携帯用油圧式加工機を起動してそのピストンを前進させてアンカーの芯棒を中央孔に押し込むことにより、固定物およびコンクリートの孔に挿入されたアンカーが固定される。アンカーはハウジングの内部に収納され、アンカーを収納したハウジングを携帯用油圧式加工機の先端に取り付けて、携帯用油圧式加工機に対するアンカーの相対的な位置を規定している（たとえば、実用新案登録第３１４８３９４号公報、特開昭６０−０８５８７８号公報）。
【０００５】
実用新案登録第３１４８３９４号公報には、固定物およびコンクリート面と対向（離反）する側のアンカーの先端（上端）に螺着されるアンカー位置決め治具が開示されている。アンカー位置決め冶具は、外方に突出したフランジと、アンカーに形成されたねじの螺合されるねじ面（めねじ）と、螺合されたアンカー先端の当接可能なストッパとを有している。アンカー位置決め治具はアンカーによる打ち込み前に、アンカーの側面に形成されたおねじに螺着により取り付けられ、そして、ハウジングの側面開口からハウジング内部に収納される。
【０００６】
特開昭６０−０８５８７８号公報には、アンカーの側面のおねじに螺着するナットと、ナットに当接、保持するハウジング内部のナット当接部、ナット保持部とが開示されている。特開昭６０−０８５８７８号公報のナットが、実用新案登録第３１４８３９４号公報のアンカー位置決め治具に相当する。ナット当接部は、ナットの前方側の側面に当接するハウジングの内部側面に形成された段に形成されている。また、ナット保持部は、ボール、スプリングの組み合わせからなり、スプリングに支持されたボールがナットをその側面から弾力的に押し付けている。
【先行技術文献】
【特許文献】
【０００７】
【特許文献１】実用新案登録第３１４８３９４号公報
【特許文献２】特開昭６０−０８５８７８号公報
【考案の概要】
【考案が解決しようとする課題】
【０００８】
実用新案登録第３１４８３９４号公報では、アンカーの先端（上端）がストッパに当接するまでアンカーをアンカー位置決め治具にねじ込むことで、アンカー位置決め治具に対するアンカーの位置が相対的に規定される。特開昭６０−０８５８７８号公報では、実用新案登録第３１４８３９４号公報と同様に、ナット当接部がナット（アンカー位置決め治具）の前方側の側面に当接することで、アンカー位置決め治具に対するアンカーの位置が相対的に規定される。そのため、アンカー位置決め治具（特開昭６０−０８５８７８号公報ではナット）によりアンカーと携帯用油圧式加工機との相対位置が規制され、携帯用油圧式加工機のピストンを前進させることで、十分な大きさかつ均一な摩擦力を常に得ることができる。
【０００９】
しかし、位置決め治具はアンカーなどとは別体の小さな部材である。アンカーの打ち込み前に別体の位置決め治具をアンカーに装着する準備作業が必要となり、携帯用油圧式加工機やアンカーの使用者にとって手間がかかる。
また、通常、アンカーを打ち込んだ後に位置決め治具を着脱し、それからアンカーの側面のおねじに別のナットを螺合して引き締めることでアンカーおよび固定物（鉄板など）を一体化している。そのため、携帯用油圧式加工機やアンカーの使用者にとって、位置決め治具を着脱する手間がかかる。
【００１０】
本考案は、別体の位置決め治具を必要とすることなくアンカーと携帯用油圧式加工機との相対的な位置を規制する、構成の簡単なアンカー位置決め機構の提供を目的としている。
【課題を解決するための手段】
【００１１】
上記目的を達成するために本考案では、別体のナットおよびワッシャーをあらかじめアンカーに取りつけ、このアンカーを収納するハウジングがアンカーの位置決め治具としても機能している。
すなわち、請求項１に係る本考案によれば、内部が中空に形成されて前記内部に芯棒の貫通するアンカーと、携帯用油圧式加工機および前記アンカーの間に設けられるハウジングと、を具備するアンカー位置決め機構であって、前記アンカーは、外側面の一部におねじが形成されるとともに、前記おねじと螺合するナットおよび前記ナットに対応するワッシャーの取り付けられたアンカーとされ、前記ハウジングはその内部に前記アンカーを収納可能とする収納部を備えるとともに、一端に前記携帯用油圧式加工機に着脱可能、または一体的に取り付けられ、他端から側面中央部までの側壁が切り欠かれて開口が形成され、前記ハウジングの前記収納部は、その側面内部が段付形状とされ、前記段が前記アンカーおよび前記ワッシャーの端面にそれぞれ当接する受け面を有し、前記アンカーおよび前記ワッシャーは、各受け面に当接して、前記開口から前記ハウジングの前記収納部に収納されている。
【考案の効果】
【００１２】
請求項１に係る本考案では、ハウジングの収納部の受け面がアンカーおよびワッシャーに当接する（突き当たる）ため、芯棒が携帯用油圧式加工機に押し込まれてもアンカーと携帯用油圧式加工機との相対位置は変更されない。そのため、アンカーを収納するハウジングが位置決め治具としても機能し、別体の位置決め治具は不要である。また、ナットおよびワッシャー付のアンカーを収納可能な収納部に受け面を形成すればよく、複雑な構成を必要としない。
【図面の簡単な説明】
【００１３】
【図１】本考案の一実施例に係るアンカー位置決め機構を構成するアンカー、ハウジング、およびハウジングに取り付けられた携帯用油圧式加工機の概略図を示す。
【図２】（Ａ）はアンカー位置決め機構に係るアンカーの側面図、（Ｂ）はアンカー位置決め機構に係るハウジングの側面図、（Ｃ）はアンカー、ハウジングの組み合わせに係る側面図をそれぞれ示す。図２（Ａ）〜（Ｃ）の一点鎖線は中心線を示す。
【考案を実施するための形態】
【００１４】
内部が中空に形成されて前記内部に芯棒の貫通するアンカーと、携帯用油圧式加工機および前記アンカーの間に設けられるハウジングと、を具備するアンカー位置決め機構であって、前記アンカーは、外側面の一部におねじが形成されるとともに、前記おねじと螺合するナットおよび前記ナットに対応するワッシャーの取り付けられたアンカーとされ、前記ハウジングはその内部に前記アンカーを収納可能とする収納部を備えるとともに、一端に前記携帯用油圧式加工機に着脱可能、または一体的に取り付けられ、他端から側面中央部までの側壁が切り欠かれて開口が形成され、前記ハウジングの前記収納部は、その側面内部が段付形状とされ、前記段が前記アンカーおよび前記ワッシャーの端面にそれぞれ当接する受け面を有し、前記アンカーおよび前記ワッシャーは、各受け面に当接して、前記開口から前記ハウジングの前記収納部に収納されている。
【実施例】
【００１５】
以下、図面を参照しながら本考案の一実施例について詳細に説明する。図１は、本考案の一実施例に係るアンカー位置決め機構を構成するアンカー、ハウジング、およびハウジングに取り付けられた携帯用油圧式加工機の概略図を示す。図２（Ａ）はアンカー位置決め機構に係るアンカーの側面図、（Ｂ）はアンカー位置決め機構に係るハウジングの側面図、（Ｃ）はアンカー、ハウジングの組み合わせに係る側面図をそれぞれ示す。図２（Ａ）〜（Ｃ）の一点鎖線は中心線を示す。なお、上下左右は、明示の場合を除いて携帯用油圧式加工機やアンカーの使用者から見た方向をいい、Ｕｐ，Ｌｗ、Ｌ、Ｒで示す。
【００１６】
アンカー位置決め機構１は、アンカー１０、ハウジング２０を具備し、携帯用油圧式加工機３０の端部に配置されている。具体的には、携帯用油圧式加工機３０の固定物（鉄板など）５０ｂの側の端部（詳細にはシリンダ３５）にハウジング２０が取り付けられ、ハウジングの内部の収納部２０ａにナット４０およびワッシャー４２付のアンカー１０の上部が収納されている。
【００１７】
打ち込み式のアンカー１０は、内部が中空に形成されて中央孔１２が形成され、内部の中空の中央孔に芯棒１４が貫通している。アンカー１０は、その一端（固定物５０ｂに対向（離反）する側の一端。突出端）の外側面におねじ１６が形成され、おねじに螺合するナット４０、ワッシャー（平座金）４２があらかじめ取り付けられている。アンカー１０の末端（固定物５０ｂおよび固定物の下に位置するコンクリート５０ａに埋設される埋設端）は、スリット１８ａの形成された拡径部１８とされている。アンカーの埋設端は、固定物５０ｂおよびコンクリート５０ａに穿設された孔５０ａ’、５０ｂ’に挿入され、ナット４０、ワッシャー４２、芯棒１４の取り付けられたアンカー１０が固定物およびコンクリートの孔に打ち込まれる。
なお、図２（Ａ）（Ｃ）の符号１０ａは、固定物５０ｂに対向（離反）するアンカーの端部の面（アンカーの上面、アンカーねじ端面）を示す。アンカーねじ端面１０ａは、円形形状の中心に中心孔の形成されたリング形状とされている。
【００１８】
ハウジング２０は、その内部が中空とされ、中空の内部はナット４０およびワッシャー４２付のアンカー１０を収納可能とする収納部２０ａとされている。また、ハウジング２０は、固定物５０ｂと対向する一端（上端）に携帯用油圧式加工機３０（具体的にはシリンダ３５）が着脱可能に取り付けられている。
言い換えると、固定物５０ｂの側から、アンカー１０、ハウジング２０、携帯用油圧式加工機３０（シリンダ３５、ポンプ部３６、モーター３１）の順に配置されている。
【００１９】
ハウジング２０の他端（固定物５０ｂの側）から側面中央部までの側壁が切り欠かれ、開口２０ｂが形成されている（図２（Ｂ）参照）。言い換えると、ハウジング２０はその断面が略半円形状となるように側面の一部が切り欠かれて、収納部２０ａに至る開口２０ｂが形成されている。ナット４０およびワッシャー４２付のアンカー１０は、開口２０ｂからハウジングの収納部２０ａに収納または着脱可能とされる。つまり、ナット４０およびワッシャー４２付のアンカー１０に開口２０ｂを整列させて携帯用油圧式加工機３０を横にずらせば、ナットおよびワッシャー付アンカーがハウジングの収納部２０ａに装填、収納される。なお、このような開口付のハウジングは、実用新案登録第３１４８３９４号公報（図４（Ａ）（Ｂ）参照）においても採用されており、周知の構成にすぎない。
【００２０】
ハウジングの収納部２０ａは、図２（Ｂ）に示すように、その側面内部が段付形状とされ、これらの段が受け面２２、２６をそれぞれ有している。詳細を述べると、ハウジングの収納部２０ａは断面略円形形状の上部２０ａＵｐ、下部２０ａＬｗの２部に大きく分割され、上部、下部の間の板状の仕切り部２２ａには、上部、下部よりも断面の径の小さい中央孔２２ａ’が形成されている。中央孔２２ａ’は切り欠き状に形成され、仕切り部２２ａの中央に位置する中央孔の末端はアンカーの芯棒１４の挿通される内径を有し、中央孔の末端から開口２０ｂに向かって長く伸びて切り欠かれている。このような中央孔２２ａ’の形状により、アンカーの芯棒１４を開口２０ｂから収納部２０ａの内部へ挿入（あるいは内部から脱着）することができる。
【００２１】
ハウジングの収納部の上部２０ａＵｐは、その上面外部に携帯用油圧式加工機３０が取り付けられ、また、その上面に携帯用油圧式加工機のピストン３４の挿通可能な内径を持つ挿入孔（図示しない）が形成されている。図１、図２（Ｃ）に示すように、ハウジングの収納部の上部２０ａＵｐにアンカー２０から突出した芯棒１４の上部（上端）が配置、収納されている。ハウジングの収納部の上部２０ａＵｐの外部上面の挿入孔（図示しない）を介してピストン３４が上部２０ａＵｐ内部に挿入されて芯棒１４の上方に位置し、芯棒の上部の面１４Ｕｐに当接して芯棒を突き当てる。
【００２２】
ハウジングの収納部の下部２０ａＬｗは、アンカー１０に取り付けられたナット４０、ワッシャー４２を収納可能な形状に形成され、また、内部側面に複数の段が形成されている。特に、上部、下部の間の仕切り部の中央孔２２ａ’よりも大きな径による段が仕切り部２２ａの直下に形成され、仕切り部の下面が受け面２２とされている。図２（Ｃ）に示すように、受け面２２は、アンカーの外部上面（端面）であるアンカーねじ端面１０ａに当接する（突き当たる）形状に形成されている。
また、仕切り部２２ａの下方の内部側面は当接面２４とされ、この当接面は、アンカー１０に取り付けられたナットの外側面４０ａを左右側方から当接、挟持する形状にあらかじめ形成されている。すなわち、当接面２４は、アンカー１０を締め付ける際にナット４０が共回りしないための回り止めの役割をなしている。
【００２３】
さらに、下部２０ａＬｗの内部であって当接面２４の直下に、アンカー１０に取り付けられたワッシャー４２を収納するワッシャー収納部２０ａＬｗ’が設けられている。そして、ワッシャー収納部２０ａＬｗ’に段が形成され、この段にワッシャー４２の下面（端面）４２ａと当接する他の受け面２６が形成されている（図２（Ｃ））。なお、図２（Ｃ）に示すように、ワッシャー収納部２０ａＬｗ’の内部にはナット４０、ワッシャー４２のない空間２８が存在するが、この空間はワッシャーの挿入される逃がしとされている。
【００２４】
携帯用油圧式加工機３０は本考案の要旨でなく、その構成は特開昭６０−０８５８７８号記載の公知の構成と同様であるためその詳細は省略する。概略的に述べると、携帯用油圧式加工機３０は商用電源やバッテリーを電源とし、モーター３１のトリガースイッチ３２を引くとポンプが起動して内蔵する油を加圧する。加圧油によってピストン３４が、ポンプ部３６に接続されたシリンダ３５の内部を前進し、圧縮されたリターンばね（圧縮コイルばね）のばね力によってピストンが復帰する周知の構成となっている。なお、図１に示す携帯用油圧式加工機３０のモーターは、交流１００Ｖ用のものを使用している。
【００２５】
アンカー位置決め機構１における動作について述べる。
アンカー位置決め機構１のアンカー１０の外側面に設けられたおねじ１６に、ナット４０をあらかじめ螺合し、ワッシャー４２を取り付ける。それから、開口２０ｂから水平にスライドするようにナット４０およびワッシャー４２付のアンカー１０をハウジングの収納部２０ａに収納し、アンカーねじ端面１０ａ、ワッシャーの下面４２ａがハウジングの受け面２２、２６にそれぞれ当接させる。そして、ハウジング２０から突出するアンカー１０の下部を回転させてアンカーを引き締めると、ナット４０、おねじ１６がさらに螺合し、アンカーねじ端面１０ａ、ワッシャーの下面４２ａがハウジングの受け面２２、２６に強固に押し当てられ、当接される。
携帯用油圧式加工機３０をハウジング２０の上部に取り付け、携帯用油圧式加工機のトリガースイッチ３２を引いてポンプを起動すると、ピストン３４がシリンダ３５内を前進して、収納部の上部２０ａＵｐの収納孔（図示しない）を介してハウジングの収納部２０ａ内に入り込む（図１参照）。ピストン３４がアンカーの芯棒１４の上面を押圧し打ち込むと、拡径部１８が拡幅されてコンクリートの孔５０ａ’の壁面に押圧され、孔壁面との間に摩擦力を確保して引き抜き不能にアンカー１０がコンクリート５０ａに固定される。
つまり、芯棒１４の打ち込みが実質的に開始される前に、アンカー１０の締め付けによりアンカーがハウジングの受け面２２、２６に必ず押し付けられ、受け面に押し付けられた後でなければ芯棒の打ち込みが浅くなり、アンカーの性能が発揮できない。
【００２６】
打ち込みの終了後、携帯用油圧式加工機３０を横にずらせば、ハウジング２０とともに携帯用油圧式加工機が外され、ハウジングの開口２０ｂからナット４０およびワッシャー４２付のアンカー１０が解放され、挿入したナットおよびワッシャー付アンカーが固定物およびコンクリートの孔５０ａ、５０ｂに残される。固定物５０ｂから突出したアンカー１０の上部で、ナット４０を締め付けることによりアンカーと固定物５０ｂ（鉄板など）を固着することができる。
【００２７】
図２（Ｂ）（Ｃ）に示すように、ハウジング内部の中空の収納部２０ａは、その側壁が段付に形成され、この段がアンカーねじ端面１０ａ、ワッシャーの下面４２ａにそれぞれ当接可能な受け面２２、２６とされている。さらに詳細に述べれば、受け面２２がアンカーねじ端面１０ａに当接することにより、アンカー１０の上方向（固定物５０ｂから離反する方向）への動きが規制され、アンカーの上方向のずれ、がたつきが防止される。また、受け面２６がワッシャーの下面４２ａに当接することにより、受け面２２と同様にアンカーの上方向のずれ、がたつきが防止される。
つまり、携帯用油圧式加工機３０の駆動によりナット４０およびワッシャー４２付のアンカー１０が、ハウジング２０から突出する下部を回転されて引き締められる際に、ハウジングの受け面２２、２６がナット付のアンカーのアンカーねじ端面１０ａ、ワッシャーの下面４２ａにそれぞれ当接してアンカーの位置ずれなどを防止し、携帯用油圧式加工機３０に対するアンカーの相対位置が常に維持される。
【００２８】
そのため、ハウジング２０がアンカー１０を収納するとともにアンカーの位置決め治具としても機能しており、別体の位置決め治具は不要である。また、ハウジングの収納部の受け面２２、２６が固定点となり、芯棒１４の実質的な打ち込みの開始される基準となる。そのため、ピストン３４のストロークを一定に保てばアンカー２０の打ち込み距離が常に一定になり、アンカーに対する均一な打ち込みが保証される。そして、コンクリートの孔５０ａの壁面との間に十分な摩擦力を確保してアンカー１０をコンクリート５０ａに固定することができる。
【００２９】
ハウジング２０への収納前にナット４０がアンカー１０にあらかじめ螺合されており、ナットを紛失することはない。アンカーの芯棒１４を打ち込んだ後にハウジング２０を除去し、固定物５０ｂ上に残されたアンカーのナット４０を引き締めて、アンカー、固定物を強固に一体化する。
また、受け面２２、２６を有するようにハウジング２０を成形すれば足り、アンカー位置決め機構１のハウジング２０の構成は簡単である。
さらに、実施例ではナット４０、ワッシャー４２はそれぞれ別部材としていたが、ナット、ワッシャーを一体とする構成であってもよい。そして、ハウジングの収納部２０ａの内部に当接面２４を形成し、当接面にナットの外側面４０ａを当接させてアンカーに対するナットの共回りを防止する構成としてもよい。
【００３０】
上述した実施例は、本考案を説明するためのものであり、本考案を何など限定するものでなく、本考案の技術範囲内で変形、改造などの施されたものも全て本考案に包含されることはいうまでもない。
たとえば、収納部の形状は実施例の形状に限定されない。
【産業上の利用可能性】
【００３１】
本考案は、アンカー位置決め治具を使用している各種アンカーに広範囲に応用できる。
【符号の説明】
【００３２】
１          アンカー位置決め機構
１０        アンカー
１０ａ      アンカーの端面（上面）
１４        芯棒
１６        おねじ
２０        ハウジング
２０ａ      収納部
２０ｂ      開口
２２、２６  受け面
２４        当接面
３０        携帯用油圧式加工機
４０        ナット
４０ａ      ナットの外側面
４２        ワッシャー
４２ａ      ワッシャーの端面（下面）
【図１】
0003225505.tif 000003
【図２】
0003225505.tif 000004